(57)【要約】      （修正有）【課題】本格的で大きな仏華又は立華の芯をしっかり花瓶に固定する為の活け花用補助具となる本格仏華用理想こみわらを提供する。【解決手段】込藁と言われる伝統的な活け方に藁に代えて一方を針金で結束した葦を代用する事により、程よい硬さと柔軟性を有した仏華に使用する芯１をしっかり固定することを可能にし更に保水力も各段に向上する。こみわらの長さを４５センチとし両端を針金で結束する事で、中央で切断すれば八寸の花瓶に適合したこみわらとなり、九寸の花瓶に合わせて切断すれば残りのこみわらはそのまま七寸の花瓶に適合する寸法になり、そのためにゴミを一切出さない。【選択図】図１
0003193490.tif 000002
【実用新案登録請求の範囲】
【請求項１】
込藁と言われる伝統的な活け方に藁に代えて一方を針金で結束した葦を代用する事により、程よい硬さと柔軟性を有した仏華に使用する芯をしっかり固定することを可能にし更に保水力も各段に向上した本格仏華用理想こみわらである。
【請求項２】
こみわらの長さを45センチとし両端を針金で結束した事で、中央で切断すれば八寸の花瓶に適合したこみわらとなり、九寸の花瓶に合わせて切断すれば残りのこみわらはそのまま七寸の花瓶に適合する寸法になり、そのためにゴミを一切出さない本格仏華用理想こみわらである。
【考案の詳細な説明】
【技術分野】
【０００１】本考案は、寺院や（公序良俗違反につき、不掲載）の本格的で大きな仏華又は立華の芯をしっかり花瓶に固定する為の活け花用補助具である。 
【背景技術】
【０００２】寺院または（公序良俗違反につき、不掲載）などで、本格的大作を活ける際には込藁と呼ばれる伝統的な活け花補助具を花瓶に詰め込んで使用していたが、水が腐り易い、悪臭がひどい、等の理由から近年では樹脂製のストローの一端を紐で結束した物を使用し、此れをこみわらの代用として一般に利用され、こみわらを詰めた花瓶に芯や様々な役枝を差していが、ストローでは腰が弱く芯が回る、グラつく、価格が高い、ゴミが大量に出ると言った声が多く聞かれ、夫々が思いつきで対策を講じて来ているが全て決め手に欠けていた。 
【考案の概要】
【考案が解決しようとする課題】
【０００３】
先行特許商品の理想こみわらは大きな芯を立てようとした時に腰が弱く芯が回る、グラつく、ゴミが大量に出る、更には筒状の物をハサミで切るときには復元力が働いて切れ端が広範囲に飛散してしまい片付けも大変であり、水が腐敗しないと言う売り込みも有るが、実際には藁程ではないが水の腐敗は起こり、乾燥させてもストロー内に残った水はそのままなので次に使用する際にはストトーが水を腐らせる原因にもなっていたし、何より常時使用する消耗品にしては片方を結束した一本分２５センチ１２束が2500円、３８センチ一束が3500円とコスト高になってしまう。
【課題を解決するための手段】
【０００４】
現在使用されているストローに代えて葦（以下こみわらと言う）を使用する事で芯をしっかり花瓶内に固定する為の強度を確保し、大量のゴミの発生については、全国の寺院の使用する花瓶の役８０％は六寸、七寸、八寸、九寸の花瓶であるため、長さを45センチに揃えて両端を針金で結束することで、こみわらを中央の２２、５センチで切断すれば、八寸の花瓶に適合し、九寸用の２６センチに切断すれば残りのこみわらの１９センチは七寸の花瓶に適合する寸法になって居るので、場合によっては一切ゴミを発生させずにこみわらを使用することが可能になり、価格が高いと言う悩みに対しては、こみわらの両端を結束することで両方を使用可能にしてコストを半減させるとともに、近年中国製の葦簾の品質の向上と価格の低減を考慮すれば、ストローに代えても十分価格面でメリットを提供でき、伝統的な込藁やストローのこみわらで発生していた水の腐敗の問題については、使用済みのこみわらを一度塩素系漂白剤に浸して天日乾燥させる事で除菌を可能にし、傷んだ部分だけ取り替える形で継続使用を可能にし、更に使用済みの樹脂製込わらが処理に困ったのに対して自然に化得る素材になっている。
【考案の効果】
【０００５】
本格的立華ないしは仏華を活ける時に芯がしっかり固定でき、七寸、八寸、九寸、の最も多く使用されている花瓶を対象にして、長さを45センチのこみわらにする事で、中央での切断では八寸用が二本、九寸用に２６センチに切断すれば残りの１９センチが七寸用に適合する寸法になっているため、ゴミを極限まで低減させる事が可能になり、水の腐食の問題に対しては使用後塩素系漂白剤に浸した後に天日乾燥させる事で完全除菌も可能になり、傷んだ箇所を差し替えながら継続使用を可能にし、使用済みのこみわらに対しても天然素材を使用する事で自然に帰えるのでエコにもなる。
【図面の簡単な説明】
【０００６】
【図１】花瓶にこみわらを詰めてそこに芯を突き刺し、様々な花を活けている姿である。
【図２】葦の両端を針金で結束した図である。
【図３】葦で作ったこみわらの中央部分で切断して八寸用のこみわらを二つ同時に作った図である。
【図４】葦で作ったこみわらを九寸の花瓶用の長さで切断し、九寸用と七寸用を同時に作った図である。
【図５】七寸、八寸、九寸夫々に図3、図４で作成したこみわらを花瓶に詰めた図である。
【図６】花瓶にこみわらを詰めて芯を固定し、其々の役枝が行けられている図である。
【考案を実施するための形態】
【０００７】
以下、本考案の実施の形態について図をもとに説明する。図１は、本考案に関する全体のイメージであり、花瓶内部にこみわらを詰め込そこに立華芯を突き刺して固定し、様々な役枝を差した図である。図２は本考案の主体となる45センチの葦の両端を針金で結束した姿である。図３は、本考案のゴミの量を低減させることに関する図であり、中央で切断する事で２２、５センチの八寸の花瓶に適合したこみわらを同時に二組作成した姿である。図４は、本考案のゴミの量を低減させることに関する図であり、九寸用に26センチに切断すれば残りの１９センチは七寸用のこみわらとして適合する図である。図５は、本考案のゴミの量を低減させることに関する図であり、図３、図４で作成したこみわらが其々の花瓶に適合して詰め込まれている図である。図６は本考案によって行けられた立華ならびに仏華の役枝の種類を説明する為の図である。
【実施例】
【０００８】
図１は花瓶内部にこみわらを詰め込立華芯を突き刺して固定し、周りには様々な役枝を活けているすがたである。図２は45センチの葦の両端を針金で結束した図である。図3は45センチの両箸を結束した葦を中央の２２、５センチの長さで切断し同寸法のこみわらを二組同時に作成した姿である。図４は九寸用のこみわらとして26センチの長さで切断し、残りの１９センチは七寸用に適合するこみわらを同時に作成した図である。図５は図３、図４において同時作成したこみわらが七寸、八寸、九寸の花瓶に適合して詰め込まれている姿である。図６は葦によって作られたこみわらに芯、胴、流枝、控え、見越し等の約枝が刺された姿である。
【産業上の利用可能性】
【０００９】お花を活ける時の芯が確実に固定できて、ゴミも出なくて、衛生的で、価格も安ければ全国の寺院並びに（公序良俗違反につき、不掲載）。その他様々なお花の業界がこぞって使用し、業界の発展にも寄与する企画である。 
【符号の説明】
【００１０】
１    幹作り立華並びに仏華の芯である。
２    流枝、胴、控えと言う立華並びに仏華の役枝である。
３    葦のこみわらの両端を針金で結束したものである。
４    葦のこみわらを中央で切断して同寸法の物を二組同時に作成したところである。
５    ２２、５センチこみわらを作成したところである。
６    ２２、５センチのこみわらを同時に作成した図である。
７    ２２、５センチのこみわらを二組同時に作成した図である。
８    九寸の花瓶用に26センチのこみわらを作成した図である。
９    九寸用のこみわらを取った残りが七寸用のこみわらになる図である。
１０  九寸の花瓶にこみわらが適合して詰め込まれた姿である。
１１  八寸の花瓶にこみわらが適合して詰め込まれた姿である。
１２  七寸の花瓶にこみわらが適合して詰め込まれた姿である。
１３  立華並びに仏華の役枝で若松直ぐ真。
１４  立華並びに仏華の役枝で添えである。
１５  立華並びに仏華の役枝で控えである。
１６  立華並びに仏華の役枝で流枝である。
１７  立華並びに仏華の役枝で胴である。
１８  立華並びに仏華の役枝で請けである。
１９  立華並びに仏華の役枝で見越しである。
【図１】
0003193490.tif 000003
【図２】
0003193490.tif 000004
【図３】
0003193490.tif 000005
【図４】
0003193490.tif 000006
【図５】
0003193490.tif 000007
【図６】
0003193490.tif 000008
【手続補正書】
【提出日】平成26年8月11日(2014.8.11)
【手続補正１】
【補正対象書類名】実用新案登録請求の範囲
【補正対象項目名】全文
【補正方法】変更
【補正の内容】
【実用新案登録請求の範囲】
【請求項１】
込藁と言われる伝統的な活け方に藁に代えて一方を針金で結束した葦を代用する事により、程よい硬さと柔軟性を有した仏華に使用する芯をしっかり固定することを可能にし更に保水力も各段に向上した本格仏華用理想こみわら。
【請求項２】
こみわらの長さを45センチとし両端を針金で結束した事で、中央で切断すれば八寸の花瓶に適合したこみわらとなり、九寸の花瓶に合わせて切断すれば残りのこみわらはそのまま七寸の花瓶に適合する寸法になり、そのためにゴミを一切出さない本格仏華用理想こみわら。
【手続補正２】
【補正対象書類名】明細書
【補正対象項目名】全文
【補正方法】変更
【補正の内容】
【考案の詳細な説明】
【技術分野】
【０００１】本考案は、寺院で本格的で大きな仏華又は立華の芯をしっかり花瓶に固定する為の活け花用補助具である。
【背景技術】
【０００２】寺院で、本格的大作を活ける際には込藁と呼ばれる伝統的な活け花補助具を花瓶に詰め込んで使用していたが、水が腐り易い、悪臭がひどい、等の理由から近年では樹脂製のストローの一端を紐で結束した物を使用し、此れをこみわらの代用として一般に利用され、こみわらを詰めた花瓶に芯や様々な役枝を差していが、ストローでは腰が弱く芯が回る、グラつく、価格が高い、ゴミが大量に出ると言った声が多く聞かれ、夫々が思いつきで対策を講じて来ているが全て決め手に欠けていた。 
【考案の概要】
【考案が解決しようとする課題】
【０００３】先行特許商品の理想こみわらは大きな芯を立てようとした時に腰が弱く芯が回る、グラつく、ゴミが大量に出る、更には筒状の物をハサミで切るときには復元力が働いて切れ端が広範囲に飛散してしまい片付けも大変であり、水が腐敗しないと言う売り込みも有るが、実際には藁程ではないが水の腐敗は起こり、乾燥させてもストロー内に残った水はそのままなので次に使用する際にはストトーが水を腐らせる原因にもなっていたし、何より常時使用する消耗品にしては片方を結束した一本分２５センチ１２束が2500円、３８センチ一束が3500円とコスト高になってしまう。 
【課題を解決するための手段】
【０００４】現在使用されているストローに代えて葦（以下こみわらと言う）を使用する事で芯をしっかり花瓶内に固定する為の強度を確保し、大量のゴミの発生については、全国の寺院の使用する花瓶の役８０％は七寸、八寸、九寸の花瓶であるため、長さを45センチに揃えて両端を針金で結束することで、こみわらを中央の２２、５センチで切断すれば、八寸の花瓶に適合し、九寸用の２６センチに切断すれば残りのこみわらの１９センチは七寸の花瓶に適合する寸法になって居るので、場合によっては一切ゴミを発生させずにこみわらを使用することが可能になり、価格が高いと言う悩みに対しては、込わらの両端を結束することで両方を使用可能にしてコストをはんげんさせるとともに、近年中国製の葦簾の品質の向上と価格の低減を考慮すれば、ストローに代えても十分価格面でメリットを提供でき、伝統的な込藁やストローのこみわらで発生していた水の腐敗の問題については、使用済みのこみわらを一度塩素系漂白剤に浸して天日乾燥させる事で除菌を可能にし、傷んだ部分だけ取り替える形で継続使用を可能にし、更に使用済みの樹脂製込わらが処理に困ったのに対して自然に化得る素材になっている。 
【考案の効果】
【０００５】本格的立華ないしは仏華を活ける時に芯がしっかり固定でき、七寸、八寸、九寸、の最も多く使用されている花瓶を対象にして、長さを45センチのこみわらにする事で、中央での切断では八寸用が二本、九寸用に２６センチに切断すれば残りの１９センチが七寸用に適合する寸法になっているため、ゴミを極限まで低減させる事が可能になり、水の腐食の問題に対しては使用後塩素系漂白剤に浸した後に天日乾燥させる事で完全除菌も可能になり、傷んだ箇所を差し替えながら継続使用を可能にし、使用済みの込わらに対しても天然素材を使用する事で自然に帰えるのでエコにもなる。 
【図面の簡単な説明】
【０００６】
【図１】花瓶にこみわらを詰めてそこに芯を突き刺し、様々な花を活けている姿である。
【図２】葦の両端を針金で結束した図である。
【図３】葦で作ったこみわらの中央部分で切断して八寸用のこみわらを二つ同時に作った図である。
【図４】葦で作ったこみわらを九寸の花瓶用の長さで切断し、九寸用と七寸用を同時に作った図である。
【図５】七寸、八寸、九寸夫々に図3、図４で作成した込わらを花瓶に詰めた図である。
【図６】花瓶にこみわらを詰めて芯を固定し、其々の役枝が行けられている図である。
【考案を実施するための形態】
【０００７】以下、本考案の実施の形態について図をもとに説明する。図１は、本考案に関する全体のイメージであり、花瓶内部にこみわらを詰め込そこに立華芯を突き刺して固定し、様々な役枝を差した図である。図２は本考案の主体となる45センチの葦の両端を針金で結束した姿である。図３は、本考案のゴミの量を低減させることに関する図であり、中央で切断する事で２２、５センチの八寸の花立てに適合したこみわらを同時に二組作成した姿である。図４は、本考案のゴミの量を低減させることに関する図であり、九寸用に26センチに切断すれば残りの１９センチは七寸用のこみわらとして適合する図である。図５は、本考案のゴミの量を低減させることに関する図であり、図３、図４で作成したこみわらが其々の花瓶に適合して詰め込まれている図である。図６は本考案によって行けられた立華ならびに仏華の役枝の種類を説明する為の図である。 
【実施例】
【０００８】図１は花瓶内部にこみわらを詰め込立華芯を突き刺して固定し、周りには様々な役枝を活けているすがたである。図２は45センチの葦の両端を針金で結束した図である。図3は45センチの両箸を結束した葦を中央の２２、５センチの長さで切断し同寸法のこみわらを二組同時に作成した姿である。図４は九寸用のこみわらとして26センチの長さで切断し、残りの１９センチは七寸用に適合するこみわらを同時に作成した図である。図５は図３、図４において同時作成したこみわらが七寸、八寸、九寸の花瓶に適合して詰め込まれている姿である。図６は葦によって作られたこみわらに芯、胴、流枝、控え、見越し等の約枝が刺された姿である。 
【産業上の利用可能性】
【０００９】お花を活ける時の芯が確実に固定できて、ゴミも出なくて、衛生的で、価格も安ければ全国の寺院。その他様々なお花の業界がこぞって使用し、業界の発展にも寄与する企画である。 
【符号の説明】
【００１０】１  幹作り立華並びに仏華の芯である。２  流枝、胴、控えと言う立華並びに仏華の役枝である。３  葦のこみわらの両端を針金で結束したものである。４  葦のこみわらを中央で切断して同寸法の物を二組同時に作成したところである。５  ２２、５センチこみわらを作成したところである。６  ２２、５センチのこみわらを同時に作成した図である。７  ２２、５センチのこみわらを二組同時に作成した図である。８  九寸の花瓶用に26センチのこみわらを作成した図である。９  九寸用のこみわらを取った残りが七寸用のこみわらになる図である。１０  九寸の花瓶にこみわらが適合して詰め込まれた姿である。１１  八寸の花瓶にこみわらが適合して詰め込まれた姿である。１２  七寸の花瓶にこみわらが適合して詰め込まれた姿である。１３  立華並びに仏華の役枝で若松直ぐ真。１４  立華並びに仏華の役枝で添えである。１５  立華並びに仏華の役枝で控えである。１６  立華並びに仏華の役枝で流枝である。１７  立華並びに仏華の役枝で胴である。１８  立華並びに仏華の役枝で請けである。１９  立華並びに仏華の役枝で見越しである。